(57)【要約】  ディスプレイ装置（２）のためのキャビネット（１）は、後部（４）と後部（４）に設置された前部（５）とを有する。ディスプレイ装置（２）は、キャビネット（１）で設置される。キャビネットはまた、前部（５）を後部（４）に固定するための固定要素を有し、固定要素は、前部（５）と後部（４）の協働要素のペア（１０ａ、１０ｂと１２ａ、１２ｂ）を有する。要素のペアは、後部（４）に前部（５）を手動で設置させる。少なくとも一つの弾性要素（１０ａ、１０ｂ）は手動でアクセス可能であり、手動の移動によって協働要素（１０ａ、１０ｂ）から開放されることを可能にする形状と位置を有する。解放後、前部（５）と後部（４）は分離可能である。ディスプレイ機器は、キャビネット（１）でディスプレイ装置（２）を有する。
2005516487.tif 000002
【特許請求の範囲】
【請求項１】
ディスプレイスクリーンを有するディスプレイ装置のためのキャビネットであって、該キャビネットは、
後部と、
前記ディスプレイスクリーンのための窓を有し、前記後部及び／又は前部が前記ディスプレイ装置を保持することができる、前記後部に設置された前部と、
前記前部と前記後部の協働要素のペアを有し、少なくとも一つのペアは弾性要素を有し、前記少なくとも一つのペアの前記弾性要素は、前記後部に前記前部を手動で設置させ、前記前部と前記後部を分割させる前記弾性要素の移動によって少なくとも一つのペアの要素を開放させる形状及び位置を有する、前記後部に前記前部を固定するための固定手段と、
を有し、
前記少なくとも一つのペアの前記弾性要素は、
前記キャビネットの外部に位置し、
手動でアクセス可能であり、
手動の移動によって前記協働要素から開放されることを可能にする形状及び位置を有する、
ことを特徴とするキャビネット。
【請求項２】
前記少なくとも一つのペアの要素の前記弾性要素が、前記キャビネットが通常の操作位置にある場合、実質的に可視できない位置にあることを特徴とする請求項１に記載のキャビネット。
【請求項３】
前記前部は、前記キャビネットが前記通常の操作位置に位置するサポートに向かって実質的に導かれる側壁を有し、
前記少なくとも一つのペアの要素の前記弾性要素は、前記前部の側壁に位置し、前記前部から前記後部まで延在する、
ことを特徴とする請求項２に記載のキャビネット。
【請求項４】
前記後部は、前記弾性要素がアクセスできる外面に第一の窪みを有することを特徴とする請求項３に記載のキャビネット。
【請求項５】
前記後部は、前記弾性要素が差し込まれる第二の穴を有することを特徴とする請求項３に記載のキャビネット。
【請求項６】
少なくとも２つの弾性要素は、前記前部の前記側壁で間隔が離れて存在することを特徴とする請求項３に記載のキャビネット。
【請求項７】
前記少なくとも一つのペアの要素の前記弾性要素は第三の窪みを有し、前記協働要素は前記第三の窪みにスナップされる突出を有することを特徴とする請求項１に記載のキャビネット。
【請求項８】
前記少なくとも一つのペアの要素の前記協働要素はスナップインであることを特徴とする請求項１に記載のキャビネット。
【請求項９】
前記後部と前記前部の一方が前記ディスプレイ装置を保持する少なくとも他の一つのスナップインを有し、前記後部と前記前部のもう一方が少なくとも他の一つのスナップインを係止するための少なくとも他の一つの突出を有することを特徴とする請求項１に記載のキャビネット。
【請求項１０】
請求項１に記載のキャビネットと、前部の窓により可視可能であるディスプレイスクリーンを有する該キャビネットに設置されているディスプレイ装置とを有することを特徴とするディスプレイ機器。
【発明の詳細な説明】
【技術分野】
【０００１】
本発明は、ディスプレイスクリーンを有するディスプレイ装置のためのキャビネットに関し、かかるキャビネットは、
後部と、
ディスプレイスクリーンのための窓を有し、後部及び／又は前部がディスプレイ装置（２）を保持することができる、後部に設置された前部と、
前部と後部の協働要素のペアを有し、少なくとも一つのペアは弾性要素を有し、少なくとも一つのペアの弾性要素は、後部に前部を手動で設置させ、前部と後部を分割させる弾性要素の移動によって少なくとも一つのペアの要素を開放させる形状及び位置を有する、後部に前部を固定するための固定手段と、
を有する。
【０００２】
本発明はまた、上述のようなキャビネットとディスプレイスクリーンを有するディスプレイ装置を有し、キャビネットに設置されており、ディスプレイスクリーンは前部の窓により可視できることを特徴とするディスプレイ機器に関する。
【背景技術】
【０００３】
ディスプレイ装置のためのキャビネットは既知である（例えば、特許文献１参照）。既知のキャビネットの後部は、壁の窪みに設置される。前部は、キャビネットの内部に位置するスナップイン（snap-ins）の手段によって後部に固定される。前部は、ドライバーなどの同様なものをスナップインに近隣の穴に挿入することによる、スナップインの弾性要素を曲げることによって、後部から分離できる。前部は、スナップインに代わってネジ手段によって固定されてよい。
【０００４】
後部から前部を分離するために、ツールが必要であるということは、そのような固定手段の欠点である。かかるツールは、頻繁に利用可能でなく、及び／又はスナップインは、キャビネットが通常の操作位置にある場合にツールによって達成できない。ツールを弾性要素に近接する穴に挿入する場合、弾性要素上にツールで力を適用する正確な位置を判断することは困難である。違う場所に多大な力が適用された場合、ひび割れができる。スナップインを開放するためのツールを使用する一方で、スナップイン又は前部若しくは後部にひび割れの危険性がある。さらに、ツールはスクラッチし得る。
【特許文献１】欧州特許第０９６６１５９号公報
【発明の開示】
【発明が解決しようとする課題】
【０００５】
本発明の目的は、前部と後部の分離を容易にさせる構成の固定手段を有する、序章に記載の種類のディスプレイ装置のためのキャビネットを提供することである。
【課題を解決するための手段】
【０００６】
本発明は、独立項によって定義される。従属項は有利な実施態様を定義する。
【０００７】
上述の固定手段の利点は、ツールを使用せずに修復を必要とする場合、前部と後部が容易に分離又は設置できることである。技術的なサポートなしでユーザが前部を変更することを所望する場合、例えば、異なる形状又は色にしたい場合、後部がディスプレイ装置を保持することが望ましい。
【０００８】
キャビネットの外部に位置し、手動で解放することができる、弾性要素を使用する場合、損害が回避される。
【０００９】
生産に関しては、特に前部の除去を要求する修理又は確認が必要な場合、操作時間が縮小されることが利点である。
【００１０】
後部と前部の各々は一つだけの部分を有してもよいが、代替として数多の部分から構成されてもよい。
【００１１】
少なくとも一つのペアの要素の弾性要素が、キャビネットが通常の操作位置にある場合、実質的に可視できない位置にある場合に有利である。この場合、要素はキャビネットの外観を悪化させない。キャビネットがサポート表面に位置する場合、基部を介して、弾性要素は協働要素から弾性要素を開放するように容易にアクセスして、移動でき、それによって、後部から前部を分離する。
【００１２】
前部が、キャビネットが通常の操作位置で位置するサポートに向かって実質的に導かれる側壁を有し、少なくとも一つのペアの要素の弾性要素が前部の側壁に位置し、前部から後部まで延在する場合、弾性要素が実質的に可視できないことを保証する容易な方法が実現される。
【００１３】
キャビネットがその基部に位置する場合、協働要素から弾性要素を開放した後、後部から前部を分離するために、サポートの方向で弾性要素を移動する指を使用し、他の指で前部を保持することは非常に容易である。弾性要素を実質的に可視できなくさせる代替の手法は、前部の他の側壁の弾性要素を位置することであり、製品の外観が魅力的であるように要素と囲み部分の形状を設計することである。
【００１４】
後部が、弾性要素がアクセスできる外面に第一の窪みを有する場合、要素を手動でアクセスできるように弾性要素が後部を越えて延在することを回避することができる。そのような構築は、協働要素からの弾性要素の所望でない開放に帰着する、正常な使用、取り扱い又は移動の間に偶然に弾性要素を移動させる危険性を増大し得る。さらに、そのような構成はキャビネットの外観を悪化させ得る。最後に、そのような構成は、さらなる物質を要求し、したがって、より高価となり得る。
【００１５】
後部が、弾性要素が差し込まれる第二の穴を有する場合にさらに有用である。そのような構成は、弾性要素の偶発的な移動の危険性をさらに減少し、外観を改善する。さらに、第二の穴は、設置する際に後部に向かって前部を移動する場合、協働要素に関して正確な位置に弾性要素を導く、先細形状を有してよい。
【００１６】
前部の側壁で間隔が離れて、少なくとも２つの弾性要素が存在する場合、さらに有利である。この場合、前部と後部との間のギャップは、前部と後部がある程度の柔軟度を有する場合に回避することができるか又は最小限にすることができる。さらに、厳密な固定は、取り扱いと移動の仕様に合致するために達成することができる。２つの要素を適用する場合、前部と後部の分離に続いて、両手を使用することによって同時に要素を手動で開放することがさらに容易である。
【００１７】
少なくとも一つのペアの要素の弾性要素が第三の窪みを有し、協働要素が第三の窪みにスナップされる突出を有する場合、さらにまた有用である。この解決策は、少なくとも一つのペアの要素が前部又は後部と共に成形される場合に実行することが容易である。しかしながら、弾性要素が突出を有し、協働要素が窪みを有する、構成がさらに可能である。
【００１８】
少なくとも一つのペアの要素の協働要素がスナップインである場合、さらに有利である。この場合、後部に前部を設置する際、協働要素は、前部と後部が正確な位置で組立てた場合、互いにスナップするであろう。
【００１９】
最後に、ディスプレイ装置が他のスナップインの手段によって固定される場合にさらに有利である。ディスプレイ装置が後部の他のスナップインによって保持される場合、前部が前部に後部に設置される場合、他のスナップインを係止する他の突出を有することは望ましい。同様に、ディスプレイが前部の他のスナップインで保持される場合、後部が他のスナップインを係止する他の突出を有することが望ましい。この手法において、ディスプレイ装置は、すべての特定の移動条件下でキャビネットに正確に位置し続けることを保証できる。ディスプレイ装置は、液晶タイプのディスプレイであってよく、陰極線管又は他のディスプレイ装置が、モニターやテレビに関する適用などで応用して使用されてよい。
【００２０】
本発明のキャビネットと装置の上述及び他の態様は、添付図を参照して記載されてさらに明確となるであろう。
【発明を実施するための最良の形態】
【００２１】
図１のディスプレイ機器は、ディスプレイキャビネット１に設置されたディスプレイスクリーン３を有するディスプレイ装置２を有する。キャビネット１は、ディスプレイ装置２を保持するための後部４と、後部４に設置された前部５とを有する。前部５は、ディスプレイスクリーン３のための窓６を有する。キャビネットはまた、前部５を後部４に固定するための４つの固定要素を有する。固定要素は、ペア１０ａ、１０ｂと、前部５と後部４の協働部分の１２ａ、１２ｂとを有する。少なくとも一つのペアは、弾性要素１０ａと１０ｂである。少なくとも一つのペアの１０ａ、１０ｂの協働要素１０ａ、１０ｂは、後部４に前部５を手動で設置させて、弾性要素１０ａと１０ｂの移動によって少なくとも一つのペアの１０ａ、１０ｂを開放させる形状と位置を有する。解放後、前部５と後部４は分離可能である。
【００２２】
少なくとも一つのペアの弾性要素１０ａと１０ｂは、キャビネット１の外部に位置する。手動でアクセスすることが可能で、手動の移動によって協働要素１０ａ、１０ｂから開放されることを可能とする形状と位置を有する。
【００２３】
図１に示される少なくとも一つのペアの１０ａ、１０ｂの弾性要素１０ａ、１０ｂは、キャビネット１が通常の操作位置にある場合に実質的に可視できない位置にある。前部５は、キャビネット１が通常の操作位置に位置するサポートＳに向かって実質的に導かれる側壁２０を有する。図１において、要素１０ａは、少なくとも一つのペアの要素１０ａ、１０ｂの弾性要素１０ａである。同様に、要素１１ａ、１１ｂは、別の弾性要素１１ａを有する協働要素の他のペアである。要素１２ａは、側壁２０の反対の前部５の別の側壁に位置する。それぞれの協働要素から両１０ａと１１ａを開放することによって、前部５は要素１２ｂにより、サポート表面と平行な軸のまわりを回転できる。十分な回転後、要素１２ａは協働要素１２ｂから開放される。要素１２ａ、１２ｂが固定される場合、前部５は上述のような逆方向で前部５を回転することによって後部４に設置される。要素１２ａ、１２ｂの一つが弾性である場合、前部５は後部に向かう前部の線形移動によって後部４に設置できる。図１において、要素１２ｂは弾性である。一般的に、後部４に対する前部５の適切な固定を保証するように、協働要素のさらなるペアが協働要素１２ａ、１２ｂのペアに隣接して存在する。それらの協働要素のペアは、上述した以外に側壁に存在し得る。この場合、これらの他の側壁の協働ペアは、後部４への前部５の設置を可能にする弾性要素を有することを必要とする。さらに、他の側壁で協働要素を開放できるために、前部自体は曲がるのに十分に弾力のある必要がある。
【００２４】
弾性要素１０ａは前部５の側壁２０に位置し、前部５から後部４に延在する。
【００２５】
図２及び３において、図１の部分に対応する部分は、同一の参照番号を有する。
【００２６】
図２のキャビネット１は、弾性要素１０ａがアクセスできる外面に第一の窪み２２を有する。
【００２７】
図３のキャビネット１において、要素１０ａと１０ｂは、少なくとも一つのペアの要素１０ａ、１０ｂと１１ａ、１１ｂの弾性要素である。キャビネット１は、弾性要素１０ａが差し込まれる第二の窪み２３を有する。弾性要素１０ａ、１１ａは前部５の側壁２０で間隔が置かれる。
【００２８】
少なくとも一つのペアの要素１０ａ、１０ｂの弾性要素１０ａは、図２に示されるように第三の窪む２５を有する。協働要素１０ｂは、第三の窪み２５にスナップされる突出２６を有する。代替となる実施態様において、要素１０ｂは第三の窪みを有し、一方で要素１０ａは第三の窪みにスナップされる突出を有する。少なくとも一つのペアの要素１０ａ、１０ｂの協働要素１０ａ、１０ｂは、スナップインであってよい。この場合、協働要素の少なくとも一つは、後部に対する前部の設置中に一方に対してもう一方を容易に摺動させる先細形状を有する。
【００２９】
少なくとも一つの他のスナップイン３０は、ディスプレイ装置２を保持する。
【００３０】
別の突出３１は、前部５が後部４に設置される場合、他のスナップイン３０を係止する。
【００３１】
上述した実施態様は本発明を制限するのではなく本発明を例証し、当業者が請求項の範囲を逸脱せずに多数の代替となる実施態様を設計できることを注意するべきである。請求項において、括弧内の任意の参照番号は請求項を制限するように構成されない。“有する”は請求項に記載された以外の要素又は段階の存在を除外しない。単数で記載された要素は、そのような要素の複数の存在を除外しない。本発明によるキャビネットの特徴は、請求項から明白である以外の組合せで存在してもよい。
【図面の簡単な説明】
【００３２】
【図１】開いた位置で、ディスプレイ装置とディスプレイキャビネットを有するディスプレイ機器の第一の実施態様を例証する概略した斜視図である。
【図２】図１のＩＩの方向から見たディスプレイキャビネットの他の実施態様を例証する斜視図である。
【図３】図１のＩＩＩの方向から見た図２の実施態様である。
【図１】
2005516487.tif 000003
【図２】
2005516487.tif 000004
【図３】
2005516487.tif 000005
【国際調査報告】
2005516487.tif 000006
2005516487.tif 000007
2005516487.tif 000008